(57)【要約】【課題】  数多くあるキャスター付きかばんの中から自分のキャスター付きかばんを見分けられるようにすること【解決手段】  直方体または円柱状から成るキャスター付きかばんの側面に例えば透明または不透明な半球形状の収納部分を設ける。半球形状の収納部分はかばん本体と空間的につながっている。透明な半球収納部分には各自使用者のオリジナルな造形品を収納するので個人所有を特定しやすい。また、かばんの側面に設けた透明、不透明の半球形状はかばん側面から突出しているため、斜めや横からも見分けがつきやすい。【選択図】図１
2012075829.tif 000002
【特許請求の範囲】
【請求項１】
キャスター付きかばんにおいて、かばんの容器本体に透明、または、不透明な半球の収納部分が一つ以上から成ることを特徴としたキャスター付きかばん。
【請求項２】
キャスター付きかばんにおいて、かばんの容器本体と透明、または、不透明な半球の収納部は空間的につながっていることを特徴としたキャスター付きかばん。
【発明の詳細な説明】
【技術分野】
【０００１】  本発明は旅行や買い物などの時、荷物を運搬する時に用いられるキャスター付きかばんに関するものである。
【背景技術】
【０００２】  キャスター付きかばんは主に直方体の形状をしたかばんの底に車輪を設け、かばんに敷設した取手を操作して重たいかばんを運搬できるようにしたものである。
ここでキャスターとは方向が自在に変われる車輪のことである。
キャスター付きかばんはかばんにキャスターが付いているため、海外旅行や国内旅行や出張など最近では買い物用としてもそれぞれ多くの品々を入れていっぺんに運べる便利な運搬手段となっている。
しかしながら旅行先の空港や旅行者が集まるところでは似たようなキャスター付きかばんが数多く存在するため、どれが個人のものか特定することが困難な状況にたびたび遭遇する。
そこで、多くのキャスター付きかばんがあってもすぐ個人所有のキャスター付きかばんを特定できる方法が提案されている。（特許文献１参照）
【先行技術文献】
【特許文献】
【０００３】
【特許文献１】  実用新案登録３１０６７８５号広報
【特許文献２】  意匠登録第１１７７２５４号広報
【発明の概要】
【発明が解決しようとるす課題】
【０００４】  解決しようとする課題は（特許文献１）に記載されている方法でも個人のキャスター付きかばんを特定しにくいことである。
すなわち、キャスター付きかばん側面に透明または半透明の化粧板にはさんだ箇所に絵画、写真、宣伝広告などを設ければ個人として特定できるというものである。
しかし、キャスター付きかばんの側面は正面から見れば判別できるものの斜めからは光が反射して見にくいので、せっかく目印としている絵画、写真や宣伝広告などを特定しにくいことが欠点である。
（特許文献１）に関連してかばんを透明にすることに注目して調査してみると、（特許文献２）ではかばん自体を透明にすればかばん表面のデザインを自由に変更できることから自己アピールや宣伝効果などを考慮したものもある。しかし、かばんには貴重品やプライベートな品々も入れることが多い。
よって、かばん自体透けて見えることへの不安感はぬぐえない。
【０００５】
【解決するための手段】
【０００６】  本発明のキャスター付きかばんの側面には側面の一部が突き出る形で透明または半透明から成る半球形状の容器収納部分を設けた。
半球形状の容器収納部分はかばん本体の収納部分と網や布などをしきりとしてつながっている構造にしてあるので、サッカーボールなど容積のかさばるものも収納できるようにした。
【発明の効果】
【０００７】  キャスター付きかばんの側面の一部が立体的な半球形状であるため、正面はもちろん斜めからもとても分かりやすい。
透明の半球形状からなる収納部にはたとえば旅行先で購入したお気に入りの人形や民芸品を入れれば、個人としてのキャスター付きかばんの特定がしやすい。
また、半球形状からなる収納部とかばん本体とは空間的につながっているため容積の大きい球状のサッカーボールも収納できる。愛用のサッカーボールであるならば透明の半球形状に収納されたサッカーボールの半球部分を現せる。
また、半球部分には造花やリボンなど自分なりにアレンジしたものを収納すればファション性のあるキャスター付きかばんとしても発揮できる。
そのほかには五角形や六角形に用意した色々な色の皮革をそれぞれ縫い合わせて、立体的でカラフルな半球形状のサッカーボールを構成すると、正面はもとより斜めからも個人のものとして特定できるし、サッカーボール形状の中身は収納部分としても使える。
また、キャスター付きかばんの一部分だけが突出した透明容器であることの意義は大きい。
かばんには旅行や出張などに必要とするものが入っている。例えば、洗濯物や貴重品や重要書類など人に知られたくないものも入っている。しかし、反面、お気に入りの洋服を着て街へ出るように自分が気に入ったものであるならば人に見せたいし魅せられたい心理も持ち合わせている。
本発明のようにかばんの一部が半球で透明である収納部分に自分なりにアレンジした花や人形、キャラクター人形などを入れて観光地や出張先などの街を走行すればファッション杪も兼ね備えた最新のキャスター付きかばんにもなりうる。本発明のキャスター付きかばんは手提げかばんに代表される一般的なかばんにも適用できる。
【図面の簡単な説明】
【０００８】
【図１】  本発明のキャスター付きかばんの斜視図
【図２】  本発明の平面図
【発明を実施するための形態】
【０００９】  以下に本発明の実施の形態を説明する。
図１、は本発明であるキャスター付きかばん（１）の一実施例を示した斜視図である。路上を走行している状態を表している。
直方体のキャスター付きかばんの大きさは高さ約５００ｍｍ横長さ約２３０ｍｍ縦長さ約３５０ｍｍである。キャスター付きかばんの片側側面（２）に直径約２５５ｍｍの穴を開けてそこに半径約１２５ｍｍで透明な半球（３）を設けた。かばんの中と半球内は薄い布を介して空間的につながっている。
このためサッカーボールのような容積の大きなものでも収納できた。
かばんの形状は直方体であるが円柱でも物品の収納できるので特に形状に制約はない。
また、かばん側面から突き出る形になる半球（３）は物が収納できる容器形状であれば特に円柱でもどんな形状でも良く個数は１個以上でも良い。かばんの側面に限らず上下の面にも半球など容器になるものを取り付けてもさしつかえない。
かばんには、今までどおり旅行やビジネスなどに必要となる物品たとえば衣類、書類などを入れて走行する。最近では日常の買い物の品々たとえば野菜や果物などを入れて気軽に運べる用途にも使われ始めている。
透明である半球内には使用者の好みであり走行中に他人に見せたいファッション性の高い物たとえば、カラフルなサッカーボールやキャラクター人形、旅行先で気に入って購入した民芸品などを入れて置く。その他、気に入ったいろいろなものを詰め込んでもいいし、色々入れ替えて走行しても気分転換にもなる。
空港や電車の駅などでは人の往来が多くキャスター付きかばんがたくさん存在する。
かばんの側面（２）に突出した透明な半球（３）に納めた品々はオリジナリティが高く思い出の品であるがゆえにたくさんのキャスター付きかばんがあっても見分けがすぐつく。
たとえ、同じ半球を設けたキャスター付きかばんに遭遇しても半球内に入れた物品は個性の現れであり、区別がつくので間違って持ち去られることはない。また、混雑したところでは従来のように間違えられたり自分のものかどうかも迷うことはなくなった。
【符号の説明】
【００１０】１  キャスター付きかばん
２  側面
３  半球
４  取っ手
５  キャスター
【図１】
2012075829.tif 000003
【図２】
2012075829.tif 000004